(57)【要約】熱電併給（ＣＨＰ）工場の形の発電所をデータセンタと共同設置して冗長な電力を提供する。ＣＨＰ工場およびデータセンタは地元の電力グリッドから分離した島として運転してよい。ＣＨＰ工場は冗長な燃料源接続を有することによりＣＨＰの燃料の中断を減らし、データセンタの使用可能時間を増やす。ＣＨＰ工場はタービンおよびエンジンを含み、データセンタ内の変化する負荷を管理してよい。発電所は可用性の高い構成の多重配電バスを含み、高信頼度かつ高品質の電力をデータセンタに与えてよい。発電所設計においてかかる要素を配置することにより、規模の経済を実現し、データセンタ構成で一般に見られる１点の故障をなくし、データセンタの信頼性を高めることができる。
2015528266.tif 000002
【特許請求の範囲】
【請求項１】
装置であって、
冗長な電力源を有する発電所と、
前記発電所に結合するデータセンタと
を含み、
前記データセンタは前記発電所と共同設置される、
装置。
【請求項２】
前記発電所は熱電併給（ＣＨＰ）工場を含む、請求項１記載の装置。
【請求項３】
前記ＣＨＰ工場の冗長な電源は第１の天然ガス基地への第１の接続と第２天然ガス基地への第２の接続とを含み、前記第１の天然ガス基地と前記第２天然ガス基地は異なる天然ガス基地である、請求項２記載の装置。
【請求項４】
前記冗長な電源は冗長な構成に構成された複数の天然ガスタービンを含む、請求項２記載の装置。
【請求項５】
前記冗長な電力源は複数の天然ガスエンジンを更に含む、請求項４記載の装置。
【請求項６】
前記天然ガスエンジンは、前記データセンタの負荷が急激に変化するとき前記データセンタに電力を与えるよう構成される、請求項５記載の装置。
【請求項７】
前記データセンタは少なくとも２つの冗長な冷水接続を通して前記ＣＨＰ工場から冷水を受けるよう構成される、請求項２記載の装置。
【請求項８】
前記発電所に結合する地元の電力グリッドへの接続を更に含み、前記発電所は過剰に生成した電力を前記地元の電力グリッドに与えるよう構成される、請求項１記載の装置。
【請求項９】
前記発電所に結合する電力グリッドへの接続を更に含み、前記発電所は過剰に生成した電力を前記地元の電力グリッドに接続していない需要者に与えるよう構成される、請求項１記載の装置。
【請求項１０】
前記ＣＨＰ工場に結合する熱水と蒸気システムの少なくとも一方への接続を更に含み、前記ＣＨＰ工場は過剰の熱水と過剰の蒸気の少なくとも一方を前記接続に与えるよう構成される、請求項２記載の装置。
【請求項１１】
前記データセンタは複数のモジュールを含み、前記複数のモジュールの各モジュールは複数のポッドを含む、請求項１記載の装置。
【請求項１２】
前記複数のポッドの各ポッドは情報技術（ＩＴ)設備を含み、前記複数のポッドの各ポッドは前記発電所の第１の電気サービスバスと、別の第２の電気サービスバスとに結合する、請求項１１記載の装置。
【請求項１３】
前記ＩＴ設備はネットワーク設備、記憶ノード、およびサーバの少なくとも１つを含む、請求項１２記載の装置。
【請求項１４】
前記データセンタは冗長な発電設備を含まない、請求項１記載の装置。
【請求項１５】
前記データセンタは、無停電電源（ＵＰＳ）設備、配電ユニット（ＰＤＵ）、遠隔電力パネル（ＲＰＰ）、またはディーゼル発電機を含まない、請求項１記載の装置。
【請求項１６】
方法であって、
第１の燃料源を受け、
前記第１の燃料源とは異なる第２の燃料源を受け、
データセンタと共同設置された工場内で前記前記第１の燃料源と前記第２の燃料源の少なくとも一方から発電し、
電力を前記データセンタに与える、
方法。
【請求項１７】
前記第１の燃料源は天然ガスであり、前記第２の燃料源は天然ガスである、請求項１６記載の方法。
【請求項１８】
前記第１の燃料源は第１の天然ガス基地から受け、また前記第２の燃料源は前記第１の天然ガス基地とは異なる第２の天然ガス基地から受ける、請求項１７記載の方法。
【請求項１９】
前記データセンタと共同設置された工場内で熱を生成することを更に含む、請求項１６記載の方法。
【請求項２０】
蒸気の形の熱を前記ＣＨＰ工場と共同設置された前記データセンタに与えることを更に含む、請求項１９記載の方法。
【発明の詳細な説明】
【技術分野】
【０００１】
（関連出願の相互参照）
本出願は、２０１２年６月４日出願の米国暫定特許出願第６１／６５５，２０５号、「ＣＯＭＢＩＮＡＴＩＯＮ  ＨＩＧＨ  ＡＶＡＩＬＡＢＩＬＩＴＹ  ＣＨＰ  ＡＮＤ  ＨＩＧＨ  ＤＥＮＳＩＴＹ  ＤＡＴＡ  ＣＥＮＴＥＲ」への優先権の利益を請求し、その全体をここに援用する。
【０００２】
本開示は電源に関する。より特定すると、本開示はデータセンタ用の冗長かつ高信頼性の電源に関する。
【背景技術】
【０００３】
データセンタは、サーバやデータ記憶装置やネットワーク設備などの大量の情報技術（ＩＴ）設備を収める。この設備は６．４５ｋＷ／ｍ２（６００Ｗ／ｆｔ２（ＳＦ））を越える電力を消費する能力を有する。ＩＴ設備が占める土地の面積を減らすため、多数の設備の設置面積を小さく圧縮することができるラックまたは容器内にこの設備を収める。しかし現在のデータセンタの密度（例えば、ＩＴ設備の詰め込み度合い）は、ＩＴ設備とＩＴ設備の電気機械的冷却の両方を支援する十分な、冗長な、信頼できる、公共電力の可用性によって制限される。したがって、一般にデータセンタの容量は地元の電力グリッド（ｅｌｅｃｔｒｉｃａｌ−ｕｔｉｌｉｔｙ  ｇｒｉｄ）が提供することができる電力量により制限される。
【０００４】
需要の多い地域および都会の環境では、電力の限界は２０から２５メガボルト・アンペア（ＭＶＡ）の範囲であろう。しかし、多くの高密度のデータセンタは１８０ＭＶＡ以上の電力負荷を有する。多くの地域で、公共の電力グリッドはこれだけの量の電力を供給することはできない。更に、今や多くの会社やインターネットサービスプロバイダ（ＩＳＰ）の神経の塊となったデータセンタは重要な要素であって、データセンタの停電を防ぐために高品質の電力と冗長性とを持たなければならない。したがって、公共の電力グリッドが十分な電力を供給することができる場合でも、必要な電力の質と冗長性を与えるのに必要な物理的空間の大きさは、物理的なサイズとコストの両面において極めて大きくかつ耐え難くなっている。
【０００５】
図１は従来のデータセンタの電力設備を示すブロック図である。データセンタ１００は地元の電力グリッドへの接続１０２および１０４を含んでよい。電力サービスは接続１０２および１０４から変電所１０６および１０８にそれぞれ与えられる。変電所１０６よび１０８からの電力は、通常の運転状態では情報技術（ＩＴ）設備に同時に与えられる。ＩＴ設備への通常の電力の流れは、変電所１０６および１０８からそれぞれＵＰＳ１１４および１１６を通り、更にＰＤＵ１１８および１２０を通り、遠隔電力パネル（ＲＰＰ）に至る。公共の電力が停止すると、発電機１１０および１１２が起動してＩＴ設備に電力を供給し、データセンタ内の停電を防ぐ。発電機１１０および１１２は起動時間が必要なために、無停電電源（ＵＰＳ）１１４および１１６がＩＴ設備と発電機１１０および１１２との間にインライン接続されている。ＵＰＳ１１４および１１６は電池を含み、電気接続１０２および１０４が停止すると瞬時電力を供給する。
【先行技術文献】
【特許文献】
【０００６】
【特許文献１】米国暫定特許出願第６１／６５５，２０５号
【発明の概要】
【発明が解決しようとする課題】
【０００７】
しかし、電池および支援設備の容量は、ＩＴ設備の量とＩＴ設備の負荷に比例して増加する。例えば、データセンタ１００は、公共の電力が停止したときの切替えを支援するために、発電機１１０および１１２に結合する並列ギアも含まなければならない。更に、ＵＰＳ１１４および１１６の故障中の切替えを支援するために、ＵＰＳ１１４および１１６に結合するスイッチ１１４Ａおよび１１６Ａがそれぞれ必要である。大規模で高密度のデータセンタを建設するとき電池および支援設備が占める土地は膨大である。更に、発電機１１０および１１２の数およびサイズはＩＴ設備の電気および冷却の負荷と共に増えるため、高密度のデータセンタを開発するのは難しい。なぜなら、空気の許容度と空間の必要量は発電機の数およびサイズと共に大きくなるからである。最後に、公共の電力サービス１０２および１０４と現地の発電機１１０および１１２を信頼するには、ＩＴ設備への電力を調整し分配するための複雑な電力調整システム、無停電電源（ＵＰＳ)１１４および１１６、および配電ユニット（ＰＤＵ）１１８および１２０が必要である。
【課題を解決するための手段】
【０００８】
データセンタに高信頼性の発電所（熱電併給（ＣＨＰ）工場設備で構成してよい）から給電することにより、データセンタが主電源または三次電源として公共の電力グリッドに依存しないようにしてよい。ＣＨＰからの電力および冷却の分配は二重出力路構成にして、データセンタに供給する電力および冷却に冗長性を与えてよい。１つの実施の形態では、データセンタをモジュールに分割し、モジュールを更にポッドに分割することにより、電力および冷却の分配システムを分割して冗長性および可用性を与えてよい。１つの実施の形態では、ＣＨＰプラントはデータセンタと共同設置してよい。
【０００９】
発電所は発電からの廃熱を他のプロセスへの出力として用いることにより燃料源の発電効率を高めてよい。これは燃料源の英熱単位（ＢＴＵ）当たりの効率を高める。多重型の多重エンジンを発電所内で構成することにより、保全作業中に可用性および冗長性に影響を与えることなく、発電所の構成要素を同時に保全できるようにしてよい。１つの実施の形態では、発電所は冗長な燃料源の接続を有することにより、データセンタへの電力および冷却の可用性を下げるような発電所の単一故障点をなくすようにしてよい。エンジンは分割されたバスに接続してよい。バスは、過渡的サージ抑制と停電保護のための冗長バスと、冗長性および多様性のための多重配電脚として構成してよい。
【００１０】
現地発電は高いレベルの高品質の電力をデータセンタに与えてよい。現地発電が公共の電力より優れている点は、例えば、データセンタ内の電力調整設備およびシステムが減りまたはなくなること、データセンタのバックアップ電力としてバックアップ用の全てのディーゼル発電機および重油貯蔵が減りまたはなくなること、中断または途中短絡をする架空線がないため電力の質が向上すること、電力の質に影響を与える他の顧客がいないために電圧降下や高調波や力率補正の要求が減ること、ピークの需要期中の電力グリッドストレスによる電圧低下または停電が減ること、公共の電力グリッドの送電および配電の損失が減ること、および/または電気負荷が石炭ではなくて天然ガスにより生成されるために全環境放出物が減ることなどであり、またこの発電所は一般的な送電および配電の損失（１５％から２０％と推定される）を補うための追加の発電を行う必要がなく、また冷却負荷は電動モータではなく放熱流により生成されるので必要な全電力が少なくなる。天然ガス発電所の全効率は７５％以上であるが、化石燃料発電所の効率は約３０％に過ぎない。ここでは天然ガス発電所を挙げたが、現地発電所では他の燃料源を用いてよい。
【００１１】
発電所とデータセンタとを共同設置すると、発電所から現地までのエネルギー損失が減りまたはなくなるであろう。発電所を共同設置すると、地元の電力グリッドの一般的な送電および配電の損失が減りまたはなくなるため、発電に必要な主エネルギーの量が大幅に節約になる。
【００１２】
或る実施の形態では、発電所は余分な電力を作り、これを地元の電力グリッドまたは他の需要者（ｏｆｆ−ｔａｋｅｒ）に売ってよい。１つの実施の形態では、地元の電力グリッドと同期する機能によりシステム電力安定性を更に高めてよい。電力の流れを制御して、データセンタの要求と電力グリッドの間の効率を高めてよい。ＩＴ設備による安定な機械的および電気的負荷を用いることにより、特殊なアルゴリズムにより制御を最適化して、データセンタの全運転範囲にわたって電力および冷水（または蒸気）の生産を最大にすることができる。例えば、暑い日には蒸気より冷水を生産することが多い。別の例では、電気負荷要求が高くて冷水負荷が低い場合は、追加の電力は蒸気駆動の発電機で生成してよい。電力の要求に比べて冷水負荷が高いときは、蒸気を転用して追加の冷却を行ってよい。冷却工場は主として非潜熱負荷（ｎｏｎ-ｌａｔｅｎｔ  ｌｏａｄ）を冷却するのに用いてよいので、冷水の温度は発電所の最大効率および最適バランスを与えるように調整してよい。
【００１３】
冗長に構成した発電所を持つ実施の形態では、発電所はＮ＋ｙ構成で構成してよい。ただし、Ｎは主ユニットの数、ｙは冗長ユニットの数である。ｙ個の冗長ユニットは、いずれかの主ユニットに損失が発生したときに予備機能を与えるように運転してよい。またｙ個の冗長ユニットは、グリッドまたは地元の需要者に提供するための追加の発電を行ってよい。過剰の電気エネルギーを生成するときは、原動機の排気からの熱を蒸気に変換し、これを用いて発電容量を増やしまた運転効率を高めてよい。
【００１４】
データセンタと共同設置された発電所は孤立した（ｉｓｌａｎｄｅｄ）運転モードで運転するよう構成してよい。この場合、発電所は種々の発電構成要素および過渡的負荷の吸収構成要素を用いることにより必要な電力の質を維持してよい。この構成では、発電所を電力グリッドから切り離して、中断のない電力および冷却をデータセンタに連続的に提供してよい。更に、発電所のタービンやエンジンからの廃熱は吸収冷却機を用いて回収して冷水を作り、電動冷却機を用いないことにより、システムが必要とする全発電量を更に減らしてよい。
【００１５】
専用の発電所および冷水工場を用いることにより、電力可用性が不十分および／または費用がかかりすぎるために現在は不可能または困難とされる場所に、データセンタを建設することができる。
【００１６】
１つの実施の形態では、或る装置は、冗長な電源を有しおよび／または冗長な発電を行う熱電併給（ＣＨＰ）工場を含んでよい。例えば、ＣＨＰ工場は二重の異なる天然ガス入力を有してよい。別の例では、ＣＨＰ工場は発電のための冗長なエンジンおよびタービンを有してよい。ＣＨＰ工場の入口またはＣＨＰ工場内の冗長な電源は、ＣＨＰ工場内で１点故障が起こる可能性を減らす。この装置は発電所に結合するデータセンタも含んでよい。データセンタは同じ敷地に発電所と共同設置してよい。
【００１７】
別の実施の形態では、或る方法は第１の燃料源を受けることを含んでよい。この方法は、第１の燃料源とは異なる第２の燃料源を受けることも含んでよい。この方法は更に、データセンタと共同設置された工場内で第１の燃料源と第２の燃料源の少なくとも一方から発電することを含んでよい。この方法は電力をデータセンタに与えることも含んでよい。
【００１８】
以上で、これから述べる詳細な説明を理解しやすくするために、本開示の実施の形態のいくつかの特徴と技術的利点をかなり広く概説した。クレームの主題を形成する更なる特徴および利点については後で説明する。ここに開示する特定の実施の形態は、同じまたは同様の目的を実現するために修正しまたは他の構造を設計する際の基礎として直ちに用いてよいことを当業者は認識すべきである。また、かかる同等の構造は、添付のクレームに示されている開示の精神および範囲から逸れないことを理解すべきである。その構成においても運転方法においても特徴的であると考えられる新規な特徴は、更なる目的および利点と共に、以下の説明を添付の図面に関して考察すれば更によく理解することができる。しかし、各図面は図示および説明のために提供するものであって、本開示の限界を定義するものではないことを特に理解していただきたい。
【図面の簡単な説明】
【００１９】
ここに開示するシステムおよび方法を完全に理解するために、添付の図面と関連して以下の説明を参照していただきたい。
【図１】従来のデータセンタの電力設備を示すブロック図である。
【図２】本開示の１つの実施の形態に係る、データセンタと熱電併給（ＣＨＰ）工場とを共同設置したシステムを示すブロック図である。
【図３】本開示の１つの実施の形態に係る、データセンタと熱電併給（ＣＨＰ）工場とを共同設置したシステム内の接続を示すブロック図である。
【図４】本開示の１つの実施の形態に係る、冗長に発電するＮ個の天然ガスタービンとＭ個のエンジンとの構成を示すブロック図である。
【図５】本開示の１つの実施の形態に係る、データセンタのモジュールの冷却を示すブロック図である。
【図６】本開示の１つの実施の形態に係る、各ポッド内の配電を示すブロック図である。
【発明を実施するための形態】
【００２０】
熱電併給（ＣＨＰ）工場は電気サービスと機械サービスを共に含んでよい。フル操業では、データセンタの発電負荷と電気冷却負荷の要求はＣＨＰ工場の電気サービスと機械サービスに対してバランスして、全発電所効率は７５％になってよい。この高い効率は、例えば、タービンおよびエンジン発電設備からの排気流に選択的に熱回収設備を用いることにより達成してよい。
【００２１】
図２は、本開示の１つの実施の形態に係る、データセンタと熱電併給（ＣＨＰ）工場とを共同設置したシステムを示すブロック図である。発電所３０２とデータセンタ３１２とを共同設置したシステム２００では、データセンタ３０２は２つの独立した電気サービスバス３０６Ａおよび３０６Ｂを提供してよい。電気サービスバス３０６Ａおよび３０６Ｂは変電所２０４Ａおよび２０４Ｂにそれぞれ結合してよい。配電システム２０２は変電所２０４Ａおよび２０４Ｂに結合して、発電所３０２から受けた電力をＩＴ設備に配電してよい。
【００２２】
図３は、本開示の１つの実施の形態に係る、データセンタと熱電併給（ＣＨＰ）工場とを共同設置したシステム３００を示すブロック図である。発電所３０２は冷水３０４Ａおよび３０４Ｂをデータセンタ３１２に与えてよい。２つの冗長な給水３０４Ａおよび３０４Ｂを示しているが、追加の冷水をデータセンタ３１２に与えてよい。また発電所３０２は電気サービス３０６Ａおよび３０６Ｂをデータセンタ３１２に供給してよい。２つの電気サービス接続３０６Ａおよび３０６Ｂを示しているが、追加の電気サービス接続をデータセンタ３１２に与えてよい。更に発電所３０２は、加熱、加湿、および／または他の電気機械的生成のための蒸気接続３０８をデータセンタ３１２に与えてよい。また発電所３０２は、加熱および／または他の電気機械的生成のための蒸気接続３４２および電気接続３４４を第三者需要者に与えてよい。１つの実施の形態では、接続３４４は、電力グリッドに接続する必要のない近くの他の消費者に電力を売るための出力を与えてよい。
【００２３】
発電所３０２の排気ガス流３４２を用いて十分の量および圧力の蒸気を生成して、追加の発電を行い、またはプロセス用に、または第三者需要者の快適な加熱に用いてよい。追加の電気や冷水を直接生産するのに用いない残りの熱は、ボイラやその他の小さな加熱負荷の予熱に用いてよい。高密度のデータセンタの冷却要求が大きくて安定しているために、このシステムの全効率は７５％以上もあってよい。
【００２４】
発電所３０２は、冗長なかつ同時に保全可能な構成を持つ、タービンおよびエンジン発電機の組み合わせとして実現される多数の天然ガス発電ユニット、電力調整装置（ＰＣＤ）、蒸気または熱水の生成ユニットとして実現される熱回収ボイラ、蒸気タービン発電機、および／または吸収冷却機を含んでよい。
【００２５】
発電所３０２とデータセンタ３１２は、データセンタ３１２と発電所３０２の出力との間に密に結合した設備を持つ単一組立体でよい。補助的な電力および冷却の生成を最適化して廃熱を有効に利用し、また専用の制御方式を用いて電力および冷却の最適制御を行ってよい。
【００２６】
発電所３０２は第１の天然ガス源３２２および第２の天然ガス源３２４により燃料源に結合してよい。２つの天然ガス源３２２および３２４は独立の天然ガス基地に結合して、連続した天然ガスの可用性を高めてよい。発電所３０２はまた、電力の授受のための、地元の電力グリッドへの接続３２６を含んでよい。天然ガスは、供給が乱れたときでも全負荷能力を提供することのできる、異なる経路のサービスから供給してよい。ここでは天然ガス源と述べたが、天然ガス以外にまたは追加して、プロパン、メタン、ガソリン、および／またはディーゼルなどの他の燃料源を与えてよい。同様に、発電所３０２への給水は２つの源３２８および３３０を通して供給してよい。これらは異なる経路の源（発電所３０２の近くの自己充足型の井戸を含んでよい）からの２つの独立した接続でよい。
【００２７】
１つの実施の形態では、現地３００への唯一のエネルギー入力は二重の異なる天然ガスサービス３２２および３２４を含んでよい。接続３２６は他の顧客に電力を売るための、また発生電力と同期する源を与えるための出力を与えてよい。接続３２６は電力グリッドの自力起動機能、ＶＲＡ、電圧強化、または容量増加を与えてよい。計測システムを接続３２６または接続３４４に結合して、他の顧客に提供した電力または地元の電力グリッドに提供した電力を測定してよい。
【００２８】
また、発電所３０２はＣＯ２出力３４６を与えてよい。１つの実施の形態では、接続３４６は排気ガス流から放出されるＣＯ２を集めて純化するための出力を与え、また工業および食品応用のための高品質のＣＯ２ガスを生成してよい。
１つの実施の形態では、データセンタ３１２は低品位熱のための接続３４８を与えてよい。低品位熱は、温室、アクアポニックス（ａｑｕａｐｏｎｉｃｓ）、および／または水栽培（ｈｙｄｒｏｐｏｎｉｃｓ）応用などの第三者需要者に与えてまたは売ってよい。
【００２９】
図４は、本開示の１つの実施の形態に係る、冗長に発電するＮ個の天然ガスタービンおよびＭ個のエンジンの構成を示すブロック図である。発電所４１０はＮ個のタービン４１２およびＭ個のエンジン４２２を含んでよい。タービン４１２およびエンジン４２２は電力バス４３２および４３４に電力を与えてよい。またタービン４１２およびエンジン４２２は、ボイラなどの１個以上の熱回収ユニット４４２に排気出力を与えてよい。熱回収ユニットは１個以上の吸収冷却機４４８を駆動するための、および／または１個以上の蒸気タービン４５０を駆動して電力バス４３２および４３４のための追加の発電を行うための蒸気を生成してよい。１つの実施の形態では、熱回収ユニット４４２は吸収冷却機４４８と一体化してよい。
【００３０】
エンジン４２２はタービン４１２よりも負荷の変化に一層早く反応してよい。各エンジン４２２は１つ置きの電力バス４３２と４３４に配電して、一方のバスの故障が他方のバスに影響を与えないようにしてよい。タービン４１２およびエンジン４２２からの排気ガス流からの熱は蒸気と熱水の形で回収してよい。蒸気は高圧で生成されて、タービン４４６などで追加の発電を行ってよい。タービン４１２およびエンジンの排気からの熱は回収して吸収冷却機４４８に送り、冷水を作ってよい。更に、残りの放出ガス流から熱水を取り出し、回収してボイラの給水を予熱しまたは部屋の加熱に用いてよい。
【００３１】
発電所４１０はデータセンタに種々の電気サービスを提供する。多重エンジン４２２を多重バス４３２および４３４で結合することにより、１つの経路が使えなくなったときには別の経路を用いるという冗長で弾力的な構成を可能にしてよい。配電バス４３２および４３４は最小限のサージ抑制および電力調整設備を含み、バスの電圧および周波数の変化を支援してよい。発電量がデータセンタの消費量を超えるときは、発電所４１０は過剰の電力を地元の電力グリッドに与える機能を有してよい。１つの実施の形態では、蒸気タービンの中間段階から蒸気を取り出してデータセンタに最小の加湿を与えてよく、またデータセンタの実負荷に応じて、蒸気を追加の需要者に与えてよい。
【００３２】
機械工場は二重バス構成で構成された吸収冷却機と遠心冷却機の組み合わせを含んでよい。追加の冷却負荷が必要なとき、また冷却負荷の変化に迅速に応答するときには、電動式遠心冷却機（図示せず）を吸収冷却機４４８に追加してよい。冬季および中間期（ｓｈｏｕｌｄｅｒ  ｐｅｒｉｏｄ）などのデータセンタの冷却負荷が低い期間中は、蒸気および熱水を地元のデータセンタ以外の使用者に提供してよい。冷却工場の全負荷運転時間が少なくまた湿度レベルが許容範囲内にある気候のときは、冷却機負荷を冷媒システムに置き換えてよい。
【００３３】
データセンタは多数のモジュールで構築するモジュラ−構成で構成してよい。図５は、本開示の１つの実施の形態に係る、データセンタのモジュールの冷却を示すブロック図である。各モジュール５０２は、ポッド５０４Ａおよび５０４Ｂなどの多数の小さな容器で構成してよい。或る実施の形態では、１つのモジュール内に１６個のポッドがあってよい。特定のクライアントの要求に従って、ポッド５０４Ａおよび５０４Ｂはそれぞれ異なる電力密度および冷却レベルで運転してよい。ポッド５０４Ａおよび５０４Ｂは、ネットワーク設備、ルータ、スイッチ、記憶ノード、および／またはサーバなどのＩＴ設備を含んでよい。高密度のデータセンタの主冷却は外気の濾過を含んでよく、この外気は正しい外気条件に基づいてデータセンタ内にダクトで導入してよい。図５の実施の形態では、ポッド５０４Ａおよび５０４Ｂは、エアハンドラ（ａｉｒ  ｈａｎｄｌｅｒｓ）（すなわち、熱交換機５２２Ａおよび５２２Ｂ）にそれぞれ結合する冗長な冷水接続５１２および５１４を通して冷却してよい。冷水接続５１２および５１４は供給路５１２Ａおよび５１４Ａと帰還路５１２Ｂおよび５１４Ｂの両方をそれぞれ含んでよい。
【００３４】
図示していないが、１つの実施の形態では、ポッド５０４Ａおよび５０４ＢはＤＸまたは同様の非水冷却システムを用いて冷却することにより、特定の設備の要求に従って追加の電力および熱を生成することができる。
【００３５】
電気サービスは、図５で冷水を用いると述べたポッドシステムで配電してもよい。図６は、本開示の１つの実施の形態に係る、各ポッドでの配電を示すブロック図である。冗長な電力バス６１２および６１４は、冗長で独立した電力源を各ポッド５０４Ａおよび５０４Ｂ内のＩＴ設備に与えてよい。ポッド５０４Ａおよび５０４Ｂ内では、ＩＴ設備は、バス６１２および６１４への接続を含むラック（ラック６２２など）上に設置してよい。
【００３６】
本開示およびその利点の一部を詳細に説明したが、添付のクレームにより定義する本開示の精神および範囲から逸れずに種々の変更、代替、および修正を行ってよいことを理解すべきである。更に、本出願の範囲はこの明細書に記述したプロセス、機械、製造、物質の成分、手段、方法、およびステップの特定の実施の形態に限定されるものではない。当業者が本発明から容易に認識するように、ここに述べた対応する実施の形態と実質的に同じ機能を実行しまたは実質的に同じ結果を達成する、現存しまたは今後開発される開示、機械、製造、物質の成分、手段、方法、およびステップは、本開示に従って用いてよい。したがって、添付のクレームはかかるプロセス、機械、製造、物質の成分、手段、方法、およびステップをその範囲内に含むものである。
【図１】
2015528266.tif 000003
【図２】
2015528266.tif 000004
【図３】
2015528266.tif 000005
【図４】
2015528266.tif 000006
【図５】
2015528266.tif 000007
【図６】
2015528266.tif 000008
【国際調査報告】
2015528266.tif 000009